(57)【要約】【課題】  消費電力を一層減らすことができるプラズマ表示装置およびその駆動方法を提供する。【解決手段】  二つの電極間に形成される容量性負荷をそのまま電力回収回路で使用し，二つの電極間の電力回収動作を行う前に二つの電極間の電圧差を発生させるために，インダクタと共振を行う回路を連結し，二つの電極間に電力回収動作を行った後で二つの電極間の電圧差を同一にするためにも上記回路を利用する。即ち，パネルの容量性負荷をそのまま利用して電力回収動作を行う電力回収回路において，二つの電極（ＶＯ１およびＶＥ１）の電圧を同一な電圧レベルから他の電圧レベル，および他の電圧レベルから同一な電圧レベルに変換させるとき，電力回収動作を行うことによって消費電力を一層減らすことができる。【選択図】    図５
2006113562.tif 000002
【特許請求の範囲】
【請求項１】
複数の第１電極および第２電極を含むパネルと；
前記第１電極および第２電極に各々形成される第１および第２パネルキャパシタを直接利用し，前記第１電極と第２電極との間に充/放電経路を形成する駆動回路と；
を含み，
前記駆動回路は，
前記第１電極に第１端が電気的に連結される第１インダクタと；
前記第１インダクタの第２端と前記第２電極との間に電気的に連結されて，前記第１電極から前記第２電極に充電させる経路をスイッチングする第５スイッチと；
前記第２電極に第１端が電気的に連結される第２インダクタと；
前記第２インダクタの第２端と前記第１電極との間に電気的に連結されて，前記第２電極から前記第１電極に充電させる経路をスイッチングする第６スイッチと；
前記第２インダクタの第２端と第１電圧を供給する第１電源との間に電気的に連結されて，前記第１電源から前記第２電極に充電させる経路をスイッチングする第７１スイッチと；
前記第２インダクタの第２端と前記第１電源との間に電気的に連結されて，前記第２電極を放電させる経路をスイッチングする第８１スイッチと；
を含むことを特徴とする，プラズマ表示装置。
【請求項２】
前記駆動回路は，
前記第１インダクタの第２端と前記第１電源との間に電気的に連結されて，前記第１電源から前記第１電極に充電させる経路をスイッチングする第７２スイッチと；
前記第１インダクタの第２端と前記第１電源との間に電気的に連結されて，前記第１電極を放電させる経路をスイッチングする第８２スイッチと；
をさらに含むことを特徴とする，請求項１に記載のプラズマ表示装置。
【請求項３】
前記駆動回路は，
前記第２インダクタの第２端にカソードが電気的に連結され，前記第７１スイッチにアノードが電気的に連結される第５１ダイオードと；
前記第２インダクタの第２端にアノードが電気的に連結され，前記第８１スイッチにカソードが電気的に連結される第６１ダイオードと；
をさらに含むことを特徴とする，請求項２に記載のプラズマ表示装置。
【請求項４】
前記駆動回路は，
前記第１インダクタの第２端にカソードが電気的に連結され，前記第７２スイッチにアノードが電気的に連結される第５２ダイオードと；
前記第１インダクタの第２端にアノードが電気的に連結され，前記第８２スイッチにカソードが電気的に連結される第６２ダイオードと；
をさらに含むことを特徴とする，請求項３に記載のプラズマ表示装置。
【請求項５】
前記第７１スイッチの導通によって前記第１電源，第７１スイッチ，第２インダクタ，および第２電極に電流経路が形成されて，前記第２電極の電圧が，前記第１電圧より低い第２電圧から前記第１電圧より高い第３電圧に上昇し，
前記第８１スイッチの導通によって前記第２電極，第２インダクタ，第８１スイッチ，および第１電源に電流経路が形成されて，前記第２電極の電圧が前記第３電圧から前記第２電圧に下降することを特徴とする，請求項１または２に記載のプラズマ表示装置。
【請求項６】
前記第７２スイッチの導通によって前記第１電源，第７２スイッチ，第１インダクタ，および第１電極に電流経路が形成されて，前記第１電極の電圧が，前記第１電圧より低い第２電圧から前記第１電圧より高い第３電圧に上昇し，
前記第８２スイッチの導通によって前記第１電極，第１インダクタ，第８２スイッチ，および第１電源に電流経路が形成されて，前記第１電極の電圧が前記第３電圧から前記第２電圧に下降することを特徴とする，請求項２に記載のプラズマ表示装置。
【請求項７】
前記第７１スイッチは維持期間の初期または終期に導通され，前記第８１スイッチは維持期間の初期または終期に導通されることを特徴とする，請求項１に記載のプラズマ表示装置。
【請求項８】
前記第７２スイッチは維持期間の初期または終期に導通され，前記第８２スイッチは維持期間の初期または終期に導通されることを特徴とする，請求項２に記載のプラズマ表示装置。
【請求項９】
前記駆動回路は，
前記第１インダクタの第２端にアノードが電気的に連結され，前記第１電圧より高い第３電圧を供給する第３電源にカソードが電気的に連結される第３１ダイオードと；
前記第２インダクタの第２端にアノードが電気的に連結され，前記第３電源にカソードが電気的に連結される第３２ダイオードと；
前記第１インダクタの第２端にカソードが電気的に連結され，前記第１電圧より低い第２電圧を供給する第２電源にアノードが電気的に連結される第４１ダイオードと；
前記第２インダクタの第２端にカソードが電気的に連結され，前記第２電源にアノードが電気的に連結される第４２ダイオードと；
をさらに含むことを特徴とする，請求項４に記載のプラズマ表示装置。
【請求項１０】
前記駆動回路は，
前記第１インダクタの第２端にアノードが電気的に連結され，前記第５スイッチにカソードが電気的に連結される第１ダイオードと；
前記第２インダクタの第２端にアノードが電気的に連結され，前記第６スイッチにカソードが電気的に連結される第２ダイオードと；
をさらに含むことを特徴とする，請求項９に記載のプラズマ表示装置。
【請求項１１】
前記駆動回路は，
前記第１インダクタの第２端子にカソードが電気的に連結され，前記第７１スイッチにアノードが電気的に連結される第５２ダイオードをさらに含むことを特徴とする，請求項１に記載のプラズマ表示装置。
【請求項１２】
維持期間の初期に，前記第７１スイッチの導通により，前記第１電極および第２電極の電圧が全て前記第１電圧より低い第２電圧から前記第１電圧より高い第３電圧まで上昇し，
維持期間の終期に，前記第７１スイッチの導通により，前記第２電極の電圧が前記第３電圧から前記第２電圧に下降することを特徴とする，請求項１１に記載のプラズマ表示装置。
【請求項１３】
前記駆動回路は，
前記第２インダクタの第２端にカソードが電気的に連結され，前記第７１スイッチにアノードが電気的に連結される第５１ダイオードと；
前記第２インダクタの第２端にアノードが電気的に連結され，前記第８１スイッチにカソードが電気的に連結される第６１ダイオードと；
前記第５２ダイオードと第５１ダイオードとの接点にカソードが電気的に連結され，前記第１電圧より低い第２電圧を供給する第２電源にアノードが電気的に連結される第４ダイオードと；
前記第１インダクタの第２端にアノードが電気的に連結され，前記第１電圧より高い第３電圧を供給する第３電源にカソードが電気的に連結される第３１ダイオードと；
前記２インダクタの第２端にアノードが電気的に連結され，前記第３電源にカソードが電気的に連結される第３２ダイオードと；
をさらに含むことを特徴とする，請求項１１に記載のプラズマ表示装置。
【請求項１４】
前記駆動回路は，
前記第２インダクタの第２端にカソードが電気的に連結され，前記第７１スイッチにアノードが電気的に連結される第５１ダイオードと；
前記第２インダクタの第２端にアノードが電気的に連結され，前記第８１スイッチにカソードが電気的に連結される第６１ダイオードと；
前記第５２ダイオードと第５１ダイオードとの接点にカソードが電気的に連結され，前記第１電圧より低い第２電圧を供給する第２電源にアノードが電気的に連結される第４ダイオードと；
前記第１インダクタの第２端にアノードが電気的に連結され，前記第１電圧より高い第３電圧を供給する第３電源にカソードが電気的に連結される第３１ダイオードと；
前記第６１ダイオードのカソードにアノードが電気的に連結され，前記第３電源にカソードが電気的に連結される第３２ダイオードと；
をさらに含むことを特徴とする，請求項１１に記載のプラズマ表示装置。
【請求項１５】
前記駆動回路は，
前記第１インダクタの第２端にアノードが電気的に連結され，前記第８１スイッチにカソードが電気的に連結される第６２ダイオードをさらに含むことを特徴とする，請求項１に記載のプラズマ表示装置。
【請求項１６】
維持期間の初期に，前記第８１スイッチの導通により，前記第１電極および第２電極の電圧が全て前記第１電圧より高い第３電圧から前記第１電圧より低い第２電圧まで下降し，
維持期間の終期に，前記第８１スイッチの導通により，前記第２電極の電圧が前記第２電圧から前記第３電圧に上昇することを特徴とする，請求項１５に記載のプラズマ表示装置。
【請求項１７】
前記駆動回路は，
前記第２インダクタの第２端にカソードが電気的に連結され，前記第７１スイッチにアノードが電気的に連結される第５１ダイオードと；
前記第２インダクタの第２端にアノードが電気的に連結され，前記第８１スイッチにカソードが電気的に連結される第６１ダイオードと；
前記第６２ダイオードと前記第６１ダイオードとの接点にアノードが電気的に連結され，前記第１電圧より高い第３電圧を供給する第３電圧にカソードが電気的に連結される第３ダイオードと；
前記第１インダクタの第２端にカソードが電気的に連結され，前記第１電圧より低い第２電圧を供給する第２電源にアノードが電気的に連結される第４１ダイオードと；
前記第２インダクタの第２端にカソードが電気的に連結され，前記第２電源にアノードが電気的に連結される第４２ダイオードと；
をさらに含むことを特徴とする，請求項１５に記載のプラズマ表示装置。
【請求項１８】
前記駆動回路は，
前記第２インダクタの第２端にカソードが電気的に連結され，前記第７１スイッチにアノードが電気的に連結される第５１ダイオードと；
前記第２インダクタの第２端にアノードが電気的に連結され，前記第８１スイッチにカソードが電気的に連結される第６１ダイオードと；
前記第６２ダイオードと前記第６１ダイオードとの接点にアノードが電気的に連結され，前記第１電圧より高い第３電圧を供給する第３電圧にカソードが電気的に連結される第３ダイオードと；
前記第１インダクタの第２端にカソードが電気的に連結され，前記第１電圧より低い第２電圧を供給する第２電源にアノードが電気的に連結される第４１ダイオードと；
前記第５１ダイオードのアノードに電気的に連結され，前記第２電源にアノードが電気的に連結される第４２ダイオードと；
をさらに含むことを特徴とする，請求項１５に記載のプラズマ表示装置。
【請求項１９】
前記第１電極および第２電極は走査電極であることを特徴とする，請求項１または２に記載のプラズマ表示装置。
【請求項２０】
第１電極に第１端が電気的に連結される第１インダクタ，および第２電極に第１端が電気的に連結される第２インダクタを含む駆動回路を利用し，前記第１電極および第２電極に各々形成される第１および第２パネルキャパシタを直接用いて前記第１電極と第２電極との間に充放電経路を形成するプラズマ表示装置の駆動方法において：
（ａ）維持期間の初期に，前記第２インダクタの第２端に電気的に連結される第８１スイッチを導通することによって，前記第１電極と前記第２電極の電圧レベルを同一な電圧レベルから他の電圧レベルに変更する段階と；
（ｂ）前記第１インダクタの第２端と前記第２電極との間に電気的に連結される第５スイッチ，および前記第２インダクタの第２端と前記第１電極との間に電気的に連結される第６スイッチを交互に導通することにより，前記第１電極と第２電極との間に充放電経路を形成する段階と；
を含むことを特徴とする，プラズマ表示装置の駆動方法。
【請求項２１】
維持期間の終期に，前記第１インダクタの第２端に電気的に連結される第７２スイッチを導通することにより，前記第１電極と前記第２電極の電圧レベルを他の電圧レベルから同一な電圧レベルに変更する段階をさらに含むことを特徴とする，請求項２０に記載のプラズマ表示装置の駆動方法。
【請求項２２】
維持期間の終期に，前記第１インダクタの第２端に電気的に連結される第８２スイッチを導通することにより，前記第１電極と前記第２電極の電圧レベルを他の電圧レベルから同一な電圧レベルに変更する段階をさらに含むことを特徴とする，請求項２０に記載のプラズマ表示装置の駆動方法。
【請求項２３】
前記駆動回路は，前記第２インダクタの第２端にアノードが電気的に連結され，前記第８１スイッチにカソードが電気的に連結されるダイオードをさらに含み，
前記段階（ａ）において，前記第１電極を第３電圧に維持した状態で，前記第８１スイッチの導通により，前記第２電極，第２インダクタ，ダイオード，第１スイッチ，前記第３電圧より低い第１電圧を供給する第１電源に電流経路が形成されて，前記第２電極の電圧が前記第３電圧から前記第１電圧より低い第２電圧に下降することにより，前記第１電極と前記第２電極の電圧レベルが互いに異なるレベルに変更されることを特徴とする，請求項２０に記載のプラズマ表示装置の駆動方法。
【請求項２４】
前記駆動回路は，前記第２インダクタの第２端にカソードが電気的に連結され，第７１スイッチにカソードが電気的に連結されるダイオードをさらに含み，
前記段階（ａ）において，前記第１電極を第２電圧に維持した状態で，前記第７１スイッチの導通により，前記第２電圧より高い第１電圧を供給する第１電源，第７１スイッチ，第２インダクタ，および第２電極に電流経路が形成されて，前記第２電極の電圧が前記第１電圧より高い第３電圧に上昇することにより，前記第１電極と前記第２電極の電圧レベルが互いに異なるレベルに変更されることを特徴とする，請求項２０に記載のプラズマ表示装置の駆動方法。
【請求項２５】
前記駆動回路は，前記第１インダクタの第２端にカソードが電気的に連結され，前記第７２スイッチにアノードが電気的に連結されるダイオードをさらに含み，
前記維持期間の終期に，前記第２電極を第３電圧に維持した状態で，前記第７２スイッチの導通により，前記第３電圧より低い第１電圧を供給する第１電源，第７２スイッチ，ダイオード，第１インダクタ，および第１電極に電流経路が形成されて，前記第１電極の電圧が前記第１電圧より低い第２電圧から前記第３電圧に上昇することにより，前記第１電極と前記第２電極の電圧レベルが互いに同一なレベルに変更されることを特徴とする，請求項２１に記載のプラズマ表示装置の駆動方法。
【請求項２６】
前記駆動回路は，前記第１インダクタの第２端にアノードが電気的に連結され，第８２スイッチにカソードが電気的に連結されるダイオードをさらに含み，
前記維持期間の終期に，前記第２電極を第２電圧に維持した状態で，前記第８２スイッチの導通により，前記第１電極，第１インダクタ，ダイオード，第８２スイッチ，前記第２電圧より高い第１電圧を供給する第１電源に電流経路が形成されて，前記第１電極の電圧が前記第１電圧より高い第３電圧から前記第２電圧に下降することにより，前記第１電極と前記第２電極の電圧レベルが互いに同一なレベルに変更されることを特徴とする，請求項２２に記載のプラズマ表示装置の駆動方法。
【発明の詳細な説明】
【技術分野】
【０００１】
本発明は，プラズマ表示装置およびその駆動方法に関する。
【背景技術】
【０００２】
近年，液晶表示装置（ＬＣＤ），電界放出表示装置（ＦＥＤ），プラズマディスプレイパネル（ＰＤＰ）などの平面表示装置が活発に開発されている。これら平面表示装置の中でプラズマ表示装置は，他の平面表示装置に比べて輝度および発光効率が高く，視野角が広いという長所がある。したがって，プラズマ表示装置は，４０インチ以上の大型表示装置で従来の陰極線管（ＣＲＴ）を代替する表示装置として脚光を浴びている。
【０００３】
プラズマ表示装置は，気体放電によって生成されたプラズマを利用して文字または映像を表示する平面表示装置であって，その大きさによって数十から数百万個以上の画素がマトリックス形態に配列されている。このようなプラズマ表示装置は，印加される駆動電圧波形の形態と放電セルの構造によって直流型と交流型とに区分される。
【０００４】
直流型プラズマ表示装置は，電極が絶縁されずに放電空間に露出されており，電圧が印加される間，電流が放電空間にそのまま流れてしまうので，電流制限のための抵抗を形成しなければならない短所がある。反面，交流型プラズマ表示装置は，電極を誘電体層が覆っており，自然にキャパシタンス成分が形成されて電流が制限され，放電時にイオンの衝撃から電極が保護される。従って，直流型に比べ寿命が長いという長所がある。
【０００５】
図１は，一般的なプラズマ表示装置の電極配列図である。
【０００６】
図１に示したように，プラズマディスプレイパネルの電極は，ｎ×ｍのマトリックス構造を有している。列方向にはアドレス電極（Ａ１〜Ａｍ）が配列されており，行方向にはｎ行の走査電極（Ｙ１〜Ｙｎ）および維持電極（Ｘ１〜Ｘｎ）が対をなして配列されている。
【０００７】
一般的に，このような交流型プラズマ表示装置の駆動方法は，視覚的な動作変化として表現すると，リセット期間，アドレス期間，維持期間，消去期間からなる。
【０００８】
リセット期間は，セルのアドレシング動作が円滑に行われるように，各セルの状態を初期化させる期間であり，アドレス期間は，パネルで点灯するセルと点灯しないセルを選択するために，点灯するセル（アドレシングされたセル）にアドレス電圧を印加して壁電荷を蓄積する動作を行う期間である。維持期間は，維持放電電圧パルスを印加してアドレシングされたセルに実際に画像を表示するための放電を行う期間であり，消去期間は，セルの壁電荷を減少させて維持放電を終了させる期間である。
【０００９】
ここで，走査電極と維持電極との間や，アドレス電極が形成された面と走査および維持電極が形成された面との間の放電空間等は，容量性負荷（以下，パネルキャパシタとする）として作用するため，パネルにはキャパシタンスが存在することとなる。このようなパネルキャパシタにより，維持期間に維持放電のための波形を印加するためには，放電のための電力以外に無効電力が必要となる。このような無効電力を回収して再び使用する回路を電力回収回路（または維持放電回路）という。
【００１０】
既に公開された電力回収回路としては，直列ＬＣ共振型（Ｌ.Ｆ.Ｗｅｂｅｒによって提案される。特許文献１），並列ＬＣ共振型（特許文献２），直列ＬＣＬＣ共振型（特許文献３），直列ＣＬＣ共振型（特許文献４；特許文献５）など複数存在する。この中で直列ＬＣ共振型は，維持放電電圧の中間レベルを提供するために別途のキャパシタを利用するが，直列ＬＣ共振型を除いた他の三つの方式は，外部キャパシタを必要とせず，パネルの容量性負荷であるパネルキャパシタをそのまま使用する。
【００１１】
図２は，従来の並列ＬＣ共振型を適用した場合の走査電極（Ｙ１〜Ｙｎ）と維持電極（Ｘ１〜Ｘｎ）の電力回収回路３０との連結関係を示す図である。電力回収は，主に維持期間において，維持電極と走査電極との間に印加される維持放電パルスに関係するので，図２では便宜上，維持電極と走査電極のみを示している。
【００１２】
図２に示したように，走査電極（Ｙ１〜Ｙｎ）および維持電極（Ｘ１〜Ｘｎ）は，各々を統合して制御する電力回収回路３０に接続されている。また，上記電力回収回路３０は，走査電極（Ｙ１〜Ｙｎ）に維持放電電圧をスイッチングするスイッチから構成された維持放電部３２，インダクタ（コイル），スイッチ，およびダイオードから構成された電力回収部３４，並びに，維持電極（Ｘ１〜Ｘｎ）に維持放電電圧をスイッチングするスイッチから構成された維持放電部３６を含む。
【００１３】
図３は，従来の直列ＣＬＣ共振型を適用した場合の走査電極（Ｙ１〜Ｙｎ）と維持電極（Ｘ１〜Ｘｎ）の電力回収回路４０，４０’との連結関係を示す図である。図３に示したように，走査電極（Ｙ１〜Ｙｎ）と維持電極（Ｘ１〜Ｘｎ）は，各々奇数（ｏｄｄ）ラインの電極（ＶＯ１，ＶＯ２）および偶数（ｅｖｅｎ）ラインの電極（第１，第２電極としてのＶＥ１，ＶＥ２）に接続されている。この時，第１電力回収回路４０は，ＶＯ１電極に維持放電電圧をスイッチングするスイッチから構成された維持放電部４２，インダクタ（コイル），スイッチ，およびダイオードから構成された電力回収部４４，並びにＶＥ１電極に維持放電電圧をスイッチングするスイッチから構成された維持放電部４６を含む。また，第２電力回収回路４０’も，第１電力回収回路４０に対応する構成要素４２’，４４’，４６’を含む。
直列ＬＣＬＣ共振型の場合は，図３に示した走査電極（Ｙ１〜Ｙｎ）のＶＥ１電極と維持電極（Ｘ−Ｘｎ）のＶＥ２電極の位置を変えた形態を有する。
【００１４】
ここで，図２および図３から理解できるように，並列ＬＣ共振型，直列ＣＬＣ共振型，および直列ＬＣＬＣ共振型の電力回収回路は，全て２個の維持放電部と一つの電力回収部を含み，回路を一つの独立的な束にして使用していることが分かる。
【００１５】
この時，図３に示した電力回収回路４０または４０’は，二つの電極の間（ＶＯ１電極（またはＶＯ２）とＶＥ１電極（またはＶＥ２）との間）でのみＬＣ共振によって電力回収動作が行われる。したがって，ＶＯ１電極の電圧とＶＥ１電極の電圧を同一になるようにする場合や，同じ電位状態で互いに異なる電位になるようにする場合には，電力回収が不可能であるという問題点がある。つまり，二つの電極間の電圧が異なる場合にのみ両者間に電力回収が可能である。これは波形設計において非常に深刻な問題を起こす。例えば，アドレス期間後のＶＯ１電極とＶＥ１電極とが同一な電位を有するとすれば，維持期間で電力回収のためにはいずれか一つの電極にハードスイッチングを適用して電圧を印加しなければならない。このようなハードスイッチングによる電圧の急激な変化は不必要な無効電力が消費されるだけでなく，ノイズの増加も避けられない。
【００１６】
このような問題は，図３に示した直列ＣＬＣ共振型だけでなく，並列ＬＣ共振型，直列ＬＣＬＣ共振型でも発生する。
【００１７】
【特許文献１】米国特許第５,０８１,４００号明細書
【特許文献２】米国特許第５,６７０,９７４号明細書
【特許文献３】米国特許第６,０７２,４４７号明細書
【特許文献４】韓国特許第２２７,３００号明細書
【特許文献５】米国特許第６,５３８,６２７号明細書
【発明の開示】
【発明が解決しようとする課題】
【００１８】
本発明は，従来の電力回収回路が有する上記問題点に鑑みてなされたものであり，本発明の目的は，消費電力をより一層減らすことが可能な，新規かつ改良されたプラズマ表示装置およびその駆動方法を提供することである。
【課題を解決するための手段】
【００１９】
上記課題を解決するために，本発明のある観点によれば，複数の第１電極および第２電極を含むパネルと；上記第１電極および第２電極に各々形成される第１および第２パネルキャパシタを直接利用し，上記第１電極と第２電極との間に充/放電経路を形成する駆動回路と；を含み，上記駆動回路は，上記第１電極に第１端が電気的に連結される第１インダクタと；上記第１インダクタの第２端と上記第２電極との間に電気的に連結されて，上記第１電極から上記第２電極に充電させる経路をスイッチングする第５スイッチと；上記第２電極に第１端が電気的に連結される第２インダクタと；上記第２インダクタの第２端と上記第１電極との間に電気的に連結されて，上記第２電極から上記第１電極に充電させる経路をスイッチングする第６スイッチと；上記第２インダクタの第２端と第１電圧を供給する第１電源との間に電気的に連結されて，上記第１電源から上記第２電極に充電させる経路をスイッチングする第７１スイッチと；上記第２インダクタの第２端と上記第１電源との間に電気的に連結されて，上記第２電極を放電させる経路をスイッチングする第８１スイッチと；を含むことを特徴とする，プラズマ表示装置が提供される。
【００２０】
上記駆動回路は，上記第１インダクタの第２端と上記第１電源との間に電気的に連結されて，上記第１電源から上記第１電極に充電させる経路をスイッチングする第７２スイッチと；上記第１インダクタの第２端と上記第１電源との間に電気的に連結されて，上記第１電極を放電させる経路をスイッチングする第８２スイッチと；をさらに含むとしても良い。
【００２１】
上記駆動回路は，上記第２インダクタの第２端にカソードが電気的に連結され，上記第７１スイッチにアノードが電気的に連結される第５１ダイオードと；上記第２インダクタの第２端にアノードが電気的に連結され，上記第８１スイッチにカソードが電気的に連結される第６１ダイオードと；をさらに含むとしても良い。
【００２２】
上記駆動回路は，上記第１インダクタの第２端にカソードが電気的に連結され，上記第７２スイッチにアノードが電気的に連結される第５２ダイオードと；上記第１インダクタの第２端にアノードが電気的に連結され，上記第８２スイッチにカソードが電気的に連結される第６２ダイオードと；をさらに含むとしても良い。
【００２３】
上記第７１スイッチの導通によって上記第１電源，第７１スイッチ，第２インダクタ，および第２電極に電流経路が形成されて，上記第２電極の電圧が，上記第１電圧より低い第２電圧から上記第１電圧より高い第３電圧に上昇し，上記第８１スイッチの導通によって上記第２電極，第２インダクタ，第８１スイッチ，および第１電源に電流経路が形成されて，上記第２電極の電圧が上記第３電圧から上記第２電圧に下降するとしても良い。
【００２４】
上記第７２スイッチの導通によって上記第１電源，第７２スイッチ，第１インダクタ，および第１電極に電流経路が形成されて，上記第１電極の電圧が，上記第１電圧より低い第２電圧から上記第１電圧より高い第３電圧に上昇し，上記第８２スイッチの導通によって上記第１電極，第１インダクタ，第８２スイッチ，および第１電源に電流経路が形成されて，上記第１電極の電圧が上記第３電圧から上記第２電圧に下降するとしても良い。
【００２５】
上記第７１スイッチは維持期間の初期または終期に導通され，上記第８１スイッチは維持期間の初期または終期に導通されるとしても良い。
【００２６】
上記第７２スイッチは維持期間の初期または終期に導通され，上記第８２スイッチは維持期間の初期または終期に導通されるとしても良い。
【００２７】
上記駆動回路は，上記第１インダクタの第２端にアノードが電気的に連結され，上記第１電圧より高い第３電圧を供給する第３電源にカソードが電気的に連結される第３１ダイオードと；上記第２インダクタの第２端にアノードが電気的に連結され，上記第３電源にカソードが電気的に連結される第３２ダイオードと；上記第１インダクタの第２端にカソードが電気的に連結され，上記第１電圧より低い第２電圧を供給する第２電源にアノードが電気的に連結される第４１ダイオードと；上記第２インダクタの第２端にカソードが電気的に連結され，上記第２電源にアノードが電気的に連結される第４２ダイオードと；をさらに含むとしても良い。
【００２８】
上記駆動回路は，上記第１インダクタの第２端にアノードが電気的に連結され，上記第５スイッチにカソードが電気的に連結される第１ダイオードと；上記第２インダクタの第２端にアノードが電気的に連結され，上記第６スイッチにカソードが電気的に連結される第２ダイオードと；をさらに含むとしても良い。
【００２９】
上記駆動回路は，上記第１インダクタの第２端子にカソードが電気的に連結され，上記第７１スイッチにアノードが電気的に連結される第５２ダイオードをさらに含むとしても良い。
【００３０】
維持期間の初期に，上記第７１スイッチの導通により，上記第１電極および第２電極の電圧が全て上記第１電圧より低い第２電圧から上記第１電圧より高い第３電圧まで上昇し，
維持期間の終期に，上記第７１スイッチの導通により，上記第２電極の電圧が上記第３電圧から上記第２電圧に下降するとしても良い。
【００３１】
上記駆動回路は，上記第２インダクタの第２端にカソードが電気的に連結され，上記第７１スイッチにアノードが電気的に連結される第５１ダイオードと；上記第２インダクタの第２端にアノードが電気的に連結され，上記第８１スイッチにカソードが電気的に連結される第６１ダイオードと；上記第５２ダイオードと第５１ダイオードとの接点にカソードが電気的に連結され，上記第１電圧より低い第２電圧を供給する第２電源にアノードが電気的に連結される第４ダイオードと；上記第１インダクタの第２端にアノードが電気的に連結され，上記第１電圧より高い第３電圧を供給する第３電源にカソードが電気的に連結される第３１ダイオードと；上記２インダクタの第２端にアノードが電気的に連結され，上記第３電源にカソードが電気的に連結される第３２ダイオードと；をさらに含むとしても良い。
【００３２】
上記駆動回路は，上記第２インダクタの第２端にカソードが電気的に連結され，上記第７１スイッチにアノードが電気的に連結される第５１ダイオードと；上記第２インダクタの第２端にアノードが電気的に連結され，上記第８１スイッチにカソードが電気的に連結される第６１ダイオードと；上記第５２ダイオードと第５１ダイオードとの接点にカソードが電気的に連結され，上記第１電圧より低い第２電圧を供給する第２電源にアノードが電気的に連結される第４ダイオードと；上記第１インダクタの第２端にアノードが電気的に連結され，上記第１電圧より高い第３電圧を供給する第３電源にカソードが電気的に連結される第３１ダイオードと；上記第６１ダイオードのカソードにアノードが電気的に連結され，上記第３電源にカソードが電気的に連結される第３２ダイオードと；をさらに含むとしても良い。
【００３３】
上記駆動回路は，上記第１インダクタの第２端にアノードが電気的に連結され，上記第８１スイッチにカソードが電気的に連結される第６２ダイオードをさらに含むとしても良い。
【００３４】
維持期間の初期に，上記第８１スイッチの導通により，上記第１電極および第２電極の電圧が全て上記第１電圧より高い第３電圧から上記第１電圧より低い第２電圧まで下降し，維持期間の終期に，上記第８１スイッチの導通により，上記第２電極の電圧が上記第２電圧から上記第３電圧に上昇するとしても良い。
【００３５】
上記駆動回路は，上記第２インダクタの第２端にカソードが電気的に連結され，上記第７１スイッチにアノードが電気的に連結される第５１ダイオードと；上記第２インダクタの第２端にアノードが電気的に連結され，上記第８１スイッチにカソードが電気的に連結される第６１ダイオードと；上記第６２ダイオードと上記第６１ダイオードとの接点にアノードが電気的に連結され，上記第１電圧より高い第３電圧を供給する第３電圧にカソードが電気的に連結される第３ダイオードと；上記第１インダクタの第２端にカソードが電気的に連結され，上記第１電圧より低い第２電圧を供給する第２電源にアノードが電気的に連結される第４１ダイオードと；上記第２インダクタの第２端にカソードが電気的に連結され，上記第２電源にアノードが電気的に連結される第４２ダイオードと；をさらに含むとしても良い。
【００３６】
上記駆動回路は，上記第２インダクタの第２端にカソードが電気的に連結され，上記第７１スイッチにアノードが電気的に連結される第５１ダイオードと；上記第２インダクタの第２端にアノードが電気的に連結され，上記第８１スイッチにカソードが電気的に連結される第６１ダイオードと；上記第６２ダイオードと上記第６１ダイオードとの接点にアノードが電気的に連結され，上記第１電圧より高い第３電圧を供給する第３電圧にカソードが電気的に連結される第３ダイオードと；上記第１インダクタの第２端にカソードが電気的に連結され，上記第１電圧より低い第２電圧を供給する第２電源にアノードが電気的に連結される第４１ダイオードと；上記第５１ダイオードのアノードに電気的に連結され，上記第２電源にアノードが電気的に連結される第４２ダイオードと；をさらに含むとしても良い。
【００３７】
上記第１電極および第２電極は走査電極であるとしても良い。
【００３８】
上記課題を解決するために，本発明の別の観点によれば，第１電極に第１端が電気的に連結される第１インダクタ，および第２電極に第１端が電気的に連結される第２インダクタを含む駆動回路を利用し，上記第１電極および第２電極に各々形成される第１および第２パネルキャパシタを直接用いて上記第１電極と第２電極との間に充放電経路を形成するプラズマ表示装置の駆動方法において：（ａ）維持期間の初期に，上記第２インダクタの第２端に電気的に連結される第８１スイッチを導通することによって，上記第１電極と上記第２電極の電圧レベルを同一な電圧レベルから他の電圧レベルに変更する段階と；（ｂ）上記第１インダクタの第２端と上記第２電極との間に電気的に連結される第５スイッチ，および上記第２インダクタの第２端と上記第１電極との間に電気的に連結される第６スイッチを交互に導通することにより，上記第１電極と第２電極との間に充放電経路を形成する段階と；を含むことを特徴とする，プラズマ表示装置の駆動方法が提供される。
【００３９】
維持期間の終期に，上記第１インダクタの第２端に電気的に連結される第７２スイッチを導通することにより，上記第１電極と上記第２電極の電圧レベルを他の電圧レベルから同一な電圧レベルに変更する段階をさらに含むとしても良い。
【００４０】
維持期間の終期に，上記第１インダクタの第２端に電気的に連結される第８２スイッチを導通することにより，上記第１電極と上記第２電極の電圧レベルを他の電圧レベルから同一な電圧レベルに変更する段階をさらに含むとしても良い。
【００４１】
上記駆動回路は，上記第２インダクタの第２端にアノードが電気的に連結され，上記第８１スイッチにカソードが電気的に連結されるダイオードをさらに含み，上記段階（ａ）において，上記第１電極を第３電圧に維持した状態で，上記第８１スイッチの導通により，上記第２電極，第２インダクタ，ダイオード，第１スイッチ，上記第３電圧より低い第１電圧を供給する第１電源に電流経路が形成されて，上記第２電極の電圧が上記第３電圧から上記第１電圧より低い第２電圧に下降することにより，上記第１電極と上記第２電極の電圧レベルが互いに異なるレベルに変更されるとしても良い。
【００４２】
上記駆動回路は，上記第２インダクタの第２端にカソードが電気的に連結され，第７１スイッチにカソードが電気的に連結されるダイオードをさらに含み，上記段階（ａ）において，上記第１電極を第２電圧に維持した状態で，上記第７１スイッチの導通により，上記第２電圧より高い第１電圧を供給する第１電源，第７１スイッチ，第２インダクタ，および第２電極に電流経路が形成されて，上記第２電極の電圧が上記第１電圧より高い第３電圧に上昇することにより，上記第１電極と上記第２電極の電圧レベルが互いに異なるレベルに変更されるとしても良い。
【００４３】
上記駆動回路は，上記第１インダクタの第２端にカソードが電気的に連結され，上記第７２スイッチにアノードが電気的に連結されるダイオードをさらに含み，上記維持期間の終期に，上記第２電極を第３電圧に維持した状態で，上記第７２スイッチの導通により，上記第３電圧より低い第１電圧を供給する第１電源，第７２スイッチ，ダイオード，第１インダクタ，および第１電極に電流経路が形成されて，上記第１電極の電圧が上記第１電圧より低い第２電圧から上記第３電圧に上昇することにより，上記第１電極と上記第２電極の電圧レベルが互いに同一なレベルに変更されるとしても良い。
【００４４】
上記駆動回路は，上記第１インダクタの第２端にアノードが電気的に連結され，第８２スイッチにカソードが電気的に連結されるダイオードをさらに含み，上記維持期間の終期に，上記第２電極を第２電圧に維持した状態で，上記第８２スイッチの導通により，上記第１電極，第１インダクタ，ダイオード，第８２スイッチ，上記第２電圧より高い第１電圧を供給する第１電源に電流経路が形成されて，上記第１電極の電圧が上記第１電圧より高い第３電圧から上記第２電圧に下降することにより，上記第１電極と上記第２電極の電圧レベルが互いに同一なレベルに変更されるとしても良い。
【発明の効果】
【００４５】
以上説明したように本発明によれば，パネルの容量性負荷をそのまま利用して電力回収動作を行う電力回収回路において，二つの電極（ＶＯ１およびＶＥ１）の電圧を同一な電圧レベルから他の電圧レベルに，または，他の電圧レベルから同一な電圧レベルに変換させるときに，電力回収動作を行うことによって消費電力を一層減らすことができる。また，共通の機能を有する素子を一つに統合することによって回路をより簡単に実現することが可能となる。
【発明を実施するための最良の形態】
【００４６】
以下に添付図面を参照しながら，本発明の好適な実施の形態について詳細に説明する。なお，本明細書および図面において，実質的に同一の機能構成を有する構成要素については，同一の符号を付することにより重複説明を省略する。また，本発明は多様な相異する形態に実現することができ，ここで説明する実施形態に限定されない。また，図面において，本発明を明確に説明するために説明と関係ない部分は省略している。
【００４７】
本発明の実施形態によるプラズマ表示装置およびその駆動方法について，図面を参照して詳細に説明する。まず，本発明の実施形態によるプラズマ表示装置の概略的な構造について，図４を参照して説明する。
【００４８】
図４は，本発明の実施形態によるプラズマ表示装置を示す図である。
【００４９】
図４に示したように，本発明の実施形態によるプラズマ表示装置は，プラズマ表示パネル１００，アドレス駆動部２００，Ｙ電極駆動部３２０，Ｘ電極駆動部３４０，および制御部４００を含んで構成される。
【００５０】
プラズマ表示パネル１００は，列方向に配列されている複数のアドレス電極（Ａ１〜Ａｍ），行方向に配列されている走査電極（Ｙ１〜Ｙｎ）（以下，Ｙ電極という。），および維持電極（Ｘ１〜Ｘｎ）（以下，Ｘ電極という。）を含む。アドレス駆動部２００は，制御部４００からアドレス駆動制御信号（ＳＡ）を受信し，表示しようとする放電セルを選択するための表示データ信号を各アドレス電極に印加する。
【００５１】
Ｙ電極駆動部３２０およびＸ電極駆動部３４０は，制御部４００から各々Ｙ電極駆動信号（ＳＹ）とＸ電極駆動信号（ＳＸ）を受信し，Ｘ電極とＹ電極に印加する。
【００５２】
制御部４００は，外部から映像信号を受信し，アドレス駆動制御信号（ＳＡ），Ｙ電極駆動信号（ＳＹ），およびＸ電極駆動信号（ＳＸ）を生成して，各々アドレス駆動部２００，Ｙ電極駆動部３２０，およびＸ電極駆動部３４０に伝達する。
【００５３】
本発明の実施形態によるＹ電極駆動部３２０およびＸ電極駆動部３４０は，各々無効電力を回収して再使用する回路である電力回収回路を含む。以下では便宜上，Ｙ電極駆動部に含まれている電力回収回路についてのみ，図５を参照して説明する。Ｘ電極駆動部３４０に含まれている電力回収回路の構成および基本動作は，図５と同一の構成をとり，Ｙ電極とＸ電極との間に維持放電電圧を提供するためのスイッチングタイミングが多少変動しているだけであるので，以下では，Ｙ電極駆動部３２０に含まれている電力回収回路についてのみ説明し，Ｘ電極駆動部３４０は省略する。
【００５４】
（第１の実施形態）
図５は，本発明の第１実施形態による電力回収回路を示す図である。図５に示した電力回収回路は，直列ＣＬＣ共振型の電力回収回路であり，電力回収回路は，Ｙ電極（Ｙ１〜Ｙｎ）のうちの奇数ラインの電極（ＶＯ１）と偶数ラインの電極（ＶＥ１）とが各々連結され，両者間において電力回収動作が行われる。そして，ＶＯ１電極は，ＶＯ２電極（Ｘ電極のうちの奇数ラインの電極の意味する）と各々対をなして一つのパネルキャパシタを形成し，また，ＶＥ１電極は，ＶＥ２電極（Ｘ電極（Ｘ１〜Ｘｎ）のうちの偶数ラインの電極を意味する）と各々対をなして一つのパネルキャパシタを形成する。
【００５５】
図５に示したように，本発明の第１実施形態による電力回収回路は，ある程度電極（ＶＯ１またはＶＥ１）の電圧が上昇または下降した状態で，クランピング（clamping）電源（第３，第２電源としてのＶＡ，ＶＢ）を利用して最終電圧まで上昇させる第１および第２維持放電部３２２，３２６，およびＶＥ１電極とＶＯ１電極との間に共振する電力回収部３２４を含む。
【００５６】
ここで，本発明の第１実施形態による電力回収部３２４は，ＶＥ１電極からＶＯ１電極まで形成される第１共振経路と，ＶＯ１電極からＶＥ１電極まで形成される第２共振経路とを有し，接点の電圧（ＶＬ１，ＶＬ２）をクランピングするクランピング部３２４ａと，ＶＯ１電極の電圧レベルとＶＥ１電極の電圧レベルとを同一なレベルから他の状態に，他のレベルから同一なレベルに変動させる際，電力回収動作を行うＶＣ連結部３２４ｂとを含む。
【００５７】
第１維持放電部３２２は，電源（ＶＡ）と電源（ＶＢ）とを各々スイッチングするスイッチ（ＳＷ１，ＳＷ２）を含み，二つのスイッチ（ＳＷ１，ＳＷ２）の接点はＶＯ１電極に連結される。一方，第２維持放電部３２２も，電源（ＶＡ）と電源（ＶＢ）を各々スイッチングするスイッチ（ＳＷ３，ＳＷ４）を含み，二つのスイッチ（ＳＷ３，ＳＷ４）の接点はＶＥ１電極に連結される。この時，スイッチ（ＳＷ１，ＳＷ３）は電源（ＶＡ）に連結され，スイッチＳＷ２およびＳＷ４は電源（ＶＢ）に連結される。ここで，電源（ＶＡ）と電源（ＶＢ）との電圧差（ＶＡ−ＶＢ）は，維持期間でＹ電極に印加される維持放電電圧（Ｖｓ）に該当する値であり，一般的に，電源（ＶＡ）の電圧が電源（ＶＢ）の電圧より高く設定される。
【００５８】
電力回収部３２４は，ＶＥ１電極からＶＯ１電極に第１共振経路を形成する第１インダクタとしてのインダクタ（Ｌ１），ダイオード（Ｄ１），およびスイッチ（ＳＷ５）を含み，ＶＯ１電極からＶＥ１電極に第２共振経路を形成するインダクタ（Ｌ２），ダイオード（Ｄ２），およびスイッチ（ＳＷ６）を含む。ここで，インダクタ（Ｌ１）の一端はＶＥ１電極に連結され，他端はダイオード（Ｄ１）のアノードに連結される。
【００５９】
ダイオード（Ｄ１）のカソードは，第１共振経路をスイッチングするスイッチ（ＳＷ５）の一端に連結され，スイッチ（ＳＷ５）の他端はＶＯ１電極に連結される。一方，第２インダクタとしてのインダクタ（Ｌ２）の一端はＶＯ１電極に連結され，他端はダイオード（Ｄ２）のアノードに連結される。ダイオード（Ｄ２）のカソードは，第２共振経路をスイッチングするスイッチ（ＳＷ６）の一端に連結され，スイッチ（ＳＷ６）の他端はＶＥ１電極に連結される。そして，図５において，インダクタ（Ｌ１）を通じて流れる電流（ＩＬ１）の正（＋）の方向は，ＶＥ１電極からＶＯ１電極への方向に示され，インダクタ（Ｌ２）を通じて流れる電流（ＩＬ２）の正（＋）の方向は，ＶＯ１電極からＶＥ１電極への方向に示される。
【００６０】
一方，電力回収部３２４は，インダクタ（Ｌ１）とダイオード（Ｄ１）との接点（ａ）における電圧（ＶＬ１）と，インダクタ（Ｌ２）とダイオード（Ｄ２）との接点（ｂ）における電圧（ＶＬ２）とを各々クランピングするクランピング部３２４ａを含む。クランピング部３２４ａは，接点（ａ）にアノードが連結され，電源（ＶＡ）にカソードが連結されて，接点（ａ）の電圧（ＶＬ１）が電源（ＶＡ）の電圧以上に越えないようにするダイオード（Ｄ３１），接点（ｂ）にアノードが連結され，電源（ＶＡ）にカソードが連結されて，接点（ｂ）の電圧（ＶＬ２）が電源（ＶＡ）の電圧以上に越えないようにするダイオード（Ｄ３２），接点（ａ）にカソードが連結され，電源（ＶＢ）にアノードが連結されて，接点（ａ）の電圧（ＶＬ１）が電源（ＶＢ）の電圧以下に落ちないようにするダイオード（Ｄ４１），および接点（ｂ）にカソードが連結され，電源（ＶＢ）にアノードが連結されて，接点（ｂ）の電圧（ＶＬ２）が電源（ＶＢ）の電圧以下に落ちないようにするダイオード（Ｄ４２）を含む。
【００６１】
ＶＣ連結部３２４ｂは，第１電源としての電源ＶＣから接点（ａ，ｂ）に各々流れる電流の方向を制御するスイッチ（ＳＷ７２，ＳＷ７１）と，この電流方向の逆方向電流を各々遮断するダイオード（Ｄ５２，Ｄ５１），および接点（ａ，ｂ）から電源（ＶＣ）に各々流れる電流の方向を制御するスイッチ（ＳＷ８２，ＳＷ８１）とこの電流の方向の逆方向電流を各々遮断するダイオード（Ｄ６２，Ｄ６１）を含む。ここで，電源（ＶＣ）は，電力回収用キャパシタ（Ｃｒ）（図示せず）で構成されて電源（ＶＡ）の電圧レベルと電源（ＶＢ）の電圧レベルとの間の値に該当する電圧を供給する電源である。
【００６２】
ＶＣ連結部３２４ｂにおいて，ダイオード（Ｄ５２，Ｄ６２）は，スイッチ（ＳＷ７２，ＳＷ８２）と各々直列に連結され，直列に各々連結されたダイオード−スイッチ（Ｄ５２−ＳＷ７２，Ｄ６２−ＳＷ８２）は，相互間並列に連結されて接点（ａ）と電源（ＶＣ）との間に連結される。そして，ダイオード（Ｄ５１，Ｄ６１）はスイッチ（ＳＷ７１，ＳＷ８１）と各々直列に連結され，直列に各々連結されたダイオード−スイッチ（Ｄ５１−ＳＷ７１，Ｄ６１−ＳＷ８１）は，相互間並列に連結されて接点（ｂ）と電源（ＶＣ）との間に連結される。
【００６３】
ここで，スイッチ（ＳＷ７２）の導通により，インダクタ（Ｌ１）の負の電流方向に共振電流が流れて，ＶＥ１電極の電圧レベルをＶＢ電圧からＶＡ電圧に近い電圧まで上昇させ，スイッチ（ＳＷ８２）の導通により，インダクタ（Ｌ１）の正の電流方向に共振電流が流れて，ＶＥ１電極の電圧レベルをＶＡ電圧からＶＢ電圧に近い電圧まで下降させる。また，スイッチ（ＳＷ７１）の導通により，インダクタ（Ｌ２）の負の電流方向に共振電流が流れて，ＶＯ１電極の電圧レベルをＶＢ電圧からＶＡ電圧に近い電圧まで上昇させ，スイッチ（ＳＷ８１）の導通により，インダクタ（Ｌ２）の正の電流方向に共振電流が流れて，ＶＯ１電極の電圧レベルをＶＡ電圧からＶＢ電圧に近い電圧まで下降させる。このように，スイッチ（ＳＷ７２，ＳＷ８２）はＶＥ１電極の電圧レベルを制御するのに用いられ，スイッチ（ＳＷ７１，ＳＷ８１）はＶＯ１電極の電圧レベルを制御するのに用いられる。
【００６４】
まず，図６および図７を参照して，ＶＯ１電極およびＶＥ１電極の電圧レベルを，維持期間の初期で等しいＶＢ電圧レベルである状態から，維持期間の終了時点に等しいＶＡ電圧レベルの状態に変化させる場合において，本発明の第１実施形態による電力回収回路によって電力回収動作が行われる方法について説明する。図６は，このような場合の，本発明の第１実施形態による電力回収回路の駆動タイミング図であり，図７は，図６の駆動タイミングで各モードの電流経路を示す図である。図６において，維持期間は開始期間，反復期間，整理期間からなる。上記開始期間は，ＶＯ１電極およびＶＥ１電極の電圧を同一な電圧レベルから互いに異なる電圧レベルに変更する期間であり，反復期間は，ＶＯ１電極とＶＥ１電極との間に電力回収動作が行われる期間であり，整理期間は，互いに異なる電圧レベルを同一な電圧レベルに変更する期間である。図６でＩＬ１およびＩＬ２は，各々インダクタ（Ｌ１）およびインダクタ（Ｌ２）を通じて流れる電流を示す。
【００６５】
本発明の第１実施形態による動作を行う前に，ＶＯ１電極とＶＥ１電極が全てＶＢ電圧レベル状態であると仮定する。また，電源（ＶＣ）には電力回収用キャパシタ（Ｃｒ，図示せず）に，おおよそＶＡ電圧レベルとＶＢ電圧レベルの半分に該当する電圧が充電されていると仮定する。したがって，開始期間以前には，スイッチ（ＳＷ２，ＳＷ４）が導通されてＶＯ１電極およびＶＥ１電極は，ＶＢ電圧レベルを維持する。
【００６６】
まず，ＶＯ１電極およびＶＥ１電極の電圧を，ＶＢ電圧レベル状態からＶＡ電圧レベルまでＬＣ共振によって上昇させる。図６に示したように，モード１（Ｍ１）ではスイッチ（ＳＷ７１，ＳＷ７２）が導通される。以下，図７Ａに示したように，電源（Ｖｃ），スイッチ（ＳＷ７１），ダイオード（Ｄ５１），およびインダクタ（Ｌ２）を経てＶＯ１電極に電流経路が形成され，ＬＣ共振が発生することにより，ＶＯ１電極の電圧レベルがＶＡ電圧まで上昇する。また，電源（Ｖｃ），スイッチ（ＳＷ７２），ダイオード（Ｄ５２），およびインダクタ（Ｌ１）を経てＶＥ１電極に電流経路が形成され，ＬＣ共振が発生することにより，ＶＥ１電極の電圧レベルがＶＡ電圧まで上昇する。つまり，図６のモード１（Ｍ１）に示したように，ＶＯ１電極の電圧およびＶＥ１電極の電圧が全てＶＡ電圧に上昇する。
【００６７】
モード２では，スイッチ（ＳＷ１，ＳＷ３）が導通される。そうすると，図７Ｂに示したように，ＶＡ電源およびＶＡ電源から各々ＶＯ１電極およびＶＥ１電極に電流が流れて，ＶＯ１電極およびＶＥ１電極が全てＶＡ電圧になる。
【００６８】
次に，ＶＥ１電極の電圧をＶＡ電圧にそのまま維持し，ＶＯ１電極の電圧をＶＢ電圧に変更させて，ＶＥ１電極とＶＯ１電極の電圧レベルを他の電圧レベルに変更する。図６に示したように，モード３ではスイッチ（ＳＷ３）を導通状態に維持させ，スイッチ（ＳＷ８１）を導通する。そうすると，ＶＥ１電極の電圧はＶＡ電圧をそのまま維持する。また，スイッチ（ＳＷ８１）の導通により，図７Ｃに示したように，ＶＯ１電極，インダクタ（Ｌ２），ダイオード（Ｄ６１），スイッチ（ＳＷ８１），およびＶＣ電源に電流経路が形成され，ＬＣ共振が発生することにより，ＶＯ１電極の電圧レベルがＶＡ電圧からＶＢ電圧まで下降する。
【００６９】
この時，モード４（Ｍ４）では，図７Ｄに示したように，スイッチ（ＳＷ２）が導通されて，ＶＯ１電極の電圧がＶＢ電圧になる。一方，スイッチ（ＳＷ３）は導通状態を維持するので，ＶＥ１電極の電圧はＶＡ電圧を維持する。したがって，ＶＯ１電極の電圧とＶＥ１電極の電圧が互いに異なる電圧レベルの状態を維持するので，モード４の後には，ＶＯ１電極とＶＥ１電極との相互間に電力回収動作が行われる。
【００７０】
モード５（Ｍ５）では，スイッチ（ＳＷ５）が導通される。そうすると，図７Ｅに示したように，ＶＥ１電極，インダクタ（Ｌ１），ダイオード（Ｄ１），スイッチ（ＳＷ５），およびＶＯ１電極に電流経路が形成されてＬＣ共振が発生する。これにより，ＶＯ１電極の電圧が，ＶＢ電圧からＶＡ電圧まで上昇し，ＶＥ１電極の電圧がＶＡ電圧からＶＢ電圧まで下降する。
【００７１】
モード６（Ｍ６）では，スイッチ（ＳＷ１，ＳＷ４）が導通される。そうすると，図７Ｆに示したように，ＶＯ１電極およびＶＥ１電極が各々ＶＡ電圧およびＶＢ電圧に維持される。
【００７２】
次に，モード７（Ｍ７）ではスイッチ（ＳＷ６）が導通される。そうすると，図７Ｇに示したように，ＶＯ１電極，インダクタ（Ｌ２），ダイオード（Ｄ２），スイッチ（ＳＷ６），およびＶＥ１電極に電流経路が形成されてＬＣ共振が発生する。これにより，ＶＯ１電極の電圧がＶＡ電圧からＶＢ電圧まで下降し，ＶＥ１電極の電圧がＶＢ電圧からＶＡ電圧まで上昇する。
【００７３】
モード７（Ｍ７）以降の動作は，モード４（Ｍ４）〜モード７（Ｍ７）の動作が繰り返される。
【００７４】
この時，モード４（Ｍ４）〜モード７（Ｍ７）動作において，ＶＯ１電極とＶＥ１電極に印加される電圧の波形と実質的に類似した波形が，図６のようにＶＯ２電極とＶＥ２電極（図３に示された電極）にも印加されて，全体的にＶＯ１電極とＶＯ２電極との間，およびＶＥ１電極とＶＥ２電極との間にも維持放電電圧が印加され，電力回収動作も行われる。これに関する具体的方法は大韓民国特許公報特１９９９−００６１６９１号に記載されているので，以下で具体的説明は省略する。
【００７５】
モード８では，スイッチ（ＳＷ１）を導通した状態でスイッチ（ＳＷ７２）を導通する。そうすると，図７Ｈに示したように，ＶＣ電源，スイッチ（ＳＷ７２），ダイオード（Ｄ５２），インダクタ（Ｌ１），およびＶＥ１電極に電流経路が形成されてＬＣ共振が発生する。これにより，ＶＥ１電極の電圧がＶＢ電圧からＶＡ電圧まで上昇する。
【００７６】
次に，モード９では，スイッチ（ＳＷ１）を導通した状態でスイッチ（ＳＷ３）を導通する。そうすると，図７Ｉに示したように，ＶＯ１電極およびＶＥ１電極の電圧は全てＶＡ電圧になる。
【００７７】
このように本発明の第１実施形態による電力回収回路を用いて，モード１で，ＶＯ１電極およびＶＥ１電極の電圧を同時にＶＢ電圧からＶＡ電圧に変更する場合，モード３で，ＶＯ１電極とＶＥ１電極の電圧レベルを同一な電圧レベル（ＶＡ）から互いに異なる電圧レベル（ＶＢ，ＶＡ）に変更する場合，およびモード８で，ＶＯ１電極とＶＥ１電極が互いに異なる電圧レベル（ＶＡ，ＶＢ）から同一な電圧レベル（ＶＡ）に変更する場合においてＬＣ共振を利用する。このようなＬＣ共振を利用すれば，ＶＯ１電極とＶＥ１電極が異なる電圧レベルの場合に相互間で電力回収動作を行うことができるだけでなく，その他の場合にもハードスイッチングによる電力消費でない電力回収動作が可能になる。
【００７８】
次いで，図８および図９を参照して，ＶＯ１電極とＶＥ１電極の電圧レベルが，維持期間の初期（開始期間）にＶＡ電圧レベルである状態から，維持期間の終了時点（整理期間）に同一なＶＢ電圧の状態に変更する場合における，本発明の第１実施形態による電力回収回路のよって電力回収動作が行われる方法について説明する。図８は，このような場合の本発明の第１実施形態による電力回収回路の駆動タイミング図であり，図９は，図８の駆動タイミングで各モードの電流経路を示す図である。図８に示した電力回収の動作は図６で説明した電力回収の動作とほとんど類似しており，単に開始期間と整理期間のみが異なるので，以下では重複される説明は省略する。
【００７９】
まず，維持期間の初期に，Ｖ０１電極およびＶＥ１電極の電圧がＶＡ電圧と同一であると仮定する。モード１（Ｍ１’）ではスイッチ（ＳＷ８１，ＳＷ８２）が導通される。この時，図９Ａに示したように，スイッチ（ＳＷ８１）の導通によってＶＯ１電極，インダクタ（Ｌ２），ダイオード（Ｄ６１），スイッチ（ＳＷ８１），およびＶＣ電源に電流経路が形成され，ＬＣ共振が発生することにより，ＶＯ１電極の電圧がＶＡ電圧からＶＢ電圧まで下降する。一方，図９Ａに示したように，スイッチ（ＳＷ８２）の導通によってＶＥ１電極，インダクタ（Ｌ１），ダイオード（Ｄ６２），スイッチ（ＳＷ８２），およびＶＣ電源に電流経路が形成され，ＬＣ共振が発生することにより，ＶＥ１電極の電圧がＶＡ電圧からＶＢ電圧まで下降する。
【００８０】
モード２（Ｍ２’）では，スイッチ（ＳＷ２，ＳＷ４）が導通される。そうすると，ＶＯ１電極およびＶＥ１電極の電圧が全てＶＢ電圧になる。
【００８１】
次に，モード３（Ｍ３’）では，スイッチ（ＳＷ４）を導通した状態でスイッチ（ＳＷ７１）を導通する。そうすると，図９Ｂに示したように，ＶＣ電源，スイッチ（ＳＷ７１），ダイオード（Ｄ５１），インダクタ（Ｌ２），およびＶＯ１電極に電流経路が形成され，ＬＣ共振が発生する。これにより，ＶＯ１電極の電圧がＶＢ電圧からＶＡ電圧まで上昇する。ＶＥ１電極の電圧は，スイッチ（ＳＷ４）が導通状態を維持することによってＶＢ電圧を維持する。
【００８２】
モード４（Ｍ４’）では，スイッチ（ＳＷ４）を導通した状態でスイッチ（ＳＷ１）を導通する。そうすると，ＶＯ１電極はＶＡ電圧になる。これにより，ＶＯ１電極の電圧およびＶＥ１電極の電圧が各々ＶＡ電圧およびＶＢ電圧になって，二つの電極（ＶＯ１電極，ＶＥ１電極）間に電力回収動作を行うことができる条件になる。
【００８３】
以降の反復期間の動作は，スイッチ（ＳＷ５）またはスイッチ（ＳＷ６）の導通によってＶＯ１電極とＶＥ１電極間のＬＣ共振が発生する動作であって，図６で説明した反復期間の動作と同一であるので，以下で具体的説明は省略する。
【００８４】
モード５（Ｍ５’）ではスイッチ（ＳＷ２，ＳＷ３）を導通する。そうすると，図９Ｃに示したようにＶＯ１電極はＶＢ電圧になり，ＶＥ１電極はＶＡ電圧になる。
【００８５】
次に，モード６（Ｍ６’）では，スイッチ（ＳＷ２）を導通した状態でスイッチ（ＳＷ８２）を導通する。そうすると，ＶＯ１電極はＶＢ電圧を維持する。また，図９Ｄに示したように，スイッチ（ＳＷ８２）の導通によってＶＥ１電極，インダクタ（Ｌ１），ダイオード（Ｄ６２），スイッチ（ＳＷ８２），および電源（Ｖｃ）に電流経路が形成されてＬＣ共振が発生することにより，ＶＥ１電極の電圧がＶＡ電圧からＶＢ電圧まで下降する。ここで，ＶＥ１電極の電圧が実質的にＶＢ電圧まで下降した場合，スイッチ（ＳＷ４）を導通してＶＥ１電極の電圧がＶＢ電圧になる。これにより，ＶＯ１電極およびＶＥ１電極が同一な電圧レベルであるＶＢ電圧になる。
【００８６】
このように本発明の第１実施形態による電力回収回路を用い，モード１（Ｍ１’）でＶＯ１電極およびＶＥ１電極の電圧を同時にＶＡ電圧からＶＢ電圧に変更する場合，モード３（Ｍ３’）でＶＯ１電極とＶＥ１電極の電圧レベルを同一な電圧レベル（ＶＢ）から互いに異なる電圧レベル（ＶＡ，ＶＢ）に変更する場合，およびモード６（Ｍ６’）でＶＯ１電極とＶＥ１電極が互いに異なる電圧レベル（ＶＢ，ＶＡ）から同一な電圧レベル（ＶＢ）に変更する場合にＬＣ共振を利用する。このようなＬＣ共振を用いれば，ＶＯ１電極とＶＥ１電極が異なる電圧レベルである場合に相互間で電力回収動作を行うことができるだけでなく，その他の場合にもハードスイッチングによる電力消費でない電力回収動作が可能になる。
【００８７】
ここで，図６に示したＶＯ１電極の電圧波形およびＶＥ１電極の電圧波形を，各々図３に示したＶＯ１電極およびＶＥ１電極に印加し，図８に示したＶＯ１電極の電圧波形およびＶＥ１電極の電圧波形を，図３に示したＶＯ２電極およびＶＥ２電極に各々印加する場合，図１０のように，ＶＯ１−ＶＯ２電極間およびＶＥ１−ＶＥ２電極間に維持放電が発生する。また，図１０に示したように，ＶＯ１電極とＶＯ２電極との間にはＶＡ−ＶＢ電圧およびＶＢ−ＶＡ電圧が印加されて維持放電が発生し，ＶＥ１電極とＶＥ２電極との間にもＶＡ−ＶＢ電圧およびＶＢ−ＶＡ電圧が印加されて維持放電が発生する。
【００８８】
つまり，図１０のような波形をＶＯ１，ＶＯ２，ＶＥ１，およびＶＥ２電極に各々印加することによって維持期間の波形を設計することができる。この時，維持期間は，維持開始期間（図６および図８の開始期間に対応する），維持反復期間（図６および図８の反復期間に対応する），および維持整理期間（図６および図８の整理期間に対応する）に分けることができる。
【００８９】
（第２の実施形態）
一方，図５に示された本発明の第１実施形態による電力回収回路を用いて図６に示されたＶＯ１電極およびＶＥ１電極の電圧波形を形成する場合，スイッチ（ＳＷ７１）とスイッチ（ＳＷ７２）は同一な機能を実行し，一つのスイッチ（ＳＷ７）に統合することができ，使用しないスイッチ（ＳＷ８２）は除去できる。図６に示したように，スイッチ（ＳＷ７１）とスイッチ（ＳＷ７２）のスイッチング動作はモード８（Ｍ８）を除けば同一であり，モード８（Ｍ８）ではＶＯ１電極がＶＡ電圧を維持しているので，スイッチ（ＳＷ７１）は導通または遮断のいずれの状態になっても差し支えない。したがって，スイッチ（ＳＷ７１）とスイッチ（ＳＷ７２）は同一なスイッチング動作をすると見なすことができる。一方，図６に示したように，スイッチ（ＳＷ８２）はスイッチング動作をせずに常に遮断されているので省略可能である。図１１には，このような点を反映してより簡略な電力回収回路を示してある。
【００９０】
図１１は，本発明の第２実施形態による電力回収回路である。図１１に示したように，本発明の第２実施形態による電力回収回路は，第１実施形態による電力回収回路を応用してスイッチ（ＳＷ７１）とスイッチ（ＳＷ７２）を統合している。ここで，スイッチ（ＳＷ８２）を省略した点を除いては第１実施形態の電力回収回路とほとんど同一であるので，以下で重複した説明は省略する。
【００９１】
図１１に示したように，本発明の第２実施形態による電力回収回路は，接点（ａ，ｂ）の電圧（ＶＬ１，ＶＬ２）をクランピングする機能と，ＶＯ１電極の電圧レベルとＶＥ１電極の電圧レベルを同一なレベルから他のレベルに，他のレベルから同一なレベルに変動させる際に電力回収動作をするＶＣ連結部の機能とを行うクランピング−ＶＣ連結部３２４ｃを含む。
【００９２】
クランピング−ＶＣ連結部３２４ｃは，接点（ａ）にアノードが連結され，電源（ＶＡ）にカソードが連結されたダイオード（Ｄ３１）と，接点（ｂ）にアノードが連結され，電源（ＶＡ）にカソードが連結されるダイオード（Ｄ３２）と，接点（ｂ）にカソードが連結されるダイオード（Ｄ５１）と，ダイオード（Ｄ５１）のアノードと電源（ＶＣ）との間に連結されるスイッチ（ＳＷ７）と，接点（ｂ）にアノードが連結されるダイオード（Ｄ６１）と，ダイオード（Ｄ６１）のカソードと電源（ＶＣ）との間に連結されるスイッチ（ＳＷ８）と，ダイオード（Ｄ５１）とスイッチ（ＳＷ７）との接点にカソードが連結され，電源（ＶＢ）にアノードが連結されるダイオード（Ｄ４）と，接点（ａ）にカソードが連結され，ダイオード（Ｄ４）のカソードにアノードが連結されるダイオード（Ｄ５２）とを含む。
【００９３】
ここで，ダイオード（Ｄ３２）およびダイオード（Ｄ３１）は，各々接点（ａ）の電圧（ＶＬ１）と接点（ｂ）の電圧（ＶＬ２）がＶＡ電圧以上になることを防止する。また，ダイオード（Ｄ４）およびダイオード（Ｄ５１）は，接点（ｂ）の電圧（ＶＬ２）が電圧（ＶＢ）以下になることを防止し，ダイオード（Ｄ４）およびダイオード（Ｄ５２）は，接点（ａ）の電圧（ＶＬ１）が電圧（ＶＢ）以下になることを防止する。一方，スイッチ（ＳＷ７）およびダイオード（Ｄ５１）は，ＶＯ１電極の電圧をＶＢ電圧からＶＡ電圧まで上昇させるのに用いられ，スイッチ（ＳＷ８）およびダイオード（Ｄ６１）は，ＶＯ１電極の電圧をＶＡ電圧からＶＢ電圧まで下降させるのに用いられる。そして，スイッチ（ＳＷ７）とダイオード（Ｄ５２）は，ＶＥ１電極の電圧をＶＢ電圧からＶＡ電圧まで上昇させるのに用いられる。
【００９４】
以下，図１１のような構造を有する本発明の第２実施形態による電力回収回路を通じて図６のような波形をＶＯ１電極およびＶＯ２電極に印加する方法について説明する。
【００９５】
図６のモード１（Ｍ１）でスイッチ（ＳＷ７）を導通する。そうすると，電源（ＶＣ），スイッチ（ＳＷ７），ダイオード（Ｄ５１），インダクタ（Ｌ２），およびＶＯ１電極に電流経路が形成され，ＬＣ共振が発生することにより，ＶＯ１電極の電圧がＶＢ電圧からＶＡ電圧まで上昇する。また，電源（ＶＣ），スイッチ（ＳＷ７），ダイオード（Ｄ５２），インダクタ（Ｌ１），およびＶＥ１電極に電流経路が形成され，ＬＣ共振が発生することにより，ＶＥ１電極の電圧がＶＢ電圧からＶＡ電圧まで上昇する。
【００９６】
図６のモード２（Ｍ２）ではスイッチ（ＳＷ１，ＳＷ３）が導通される。一方，モード３（Ｍ３）では，スイッチ（ＳＷ３）を導通したままスイッチ（ＳＷ８）を導通し，これにより，ＶＯ１電極，インダクタ（Ｌ２），ダイオード（Ｄ６１），スイッチ（ＳＷ８），および電源（ＶＣ）に電流経路が形成され，ＬＣ共振が発生することにより，ＶＯ１電極の電圧がＶＡ電圧からＶＢ電圧に下降する。そして，モード４（Ｍ４）〜モード７（Ｍ７）の動作は本発明の第１実施形態と同一であるので説明は省略する。
【００９７】
モード（Ｍ８）では，スイッチ（ＳＷ７２）を導通する代わりにスイッチ（ＳＷ７）を導通する。そうすると，電源（ＶＣ），スイッチ（ＳＷ７），ダイオード（Ｄ５２），インダクタ（Ｌ１），およびＶＥ１電極に電流経路が形成され，ＬＣ共振が発生することにより，ＶＥ１電極がＶＢ電圧からＶＡ電圧まで上昇する。そして，スイッチ（ＳＷ７）が導通されてもＶＯ１電極の電圧がＶＣ電圧より高いため，ＶＣ電源でＶＯ１電極には電流経路が形成されず，ＶＯ１電極はＶＡ電圧を維持する。次に，モード９では，スイッチ（ＳＷ１，ＳＷ３）が導通されてＶＯ１電極およびＶＥ１電極がＶＡ電圧を維持する。
【００９８】
（第３の実施形態）
このように，より簡略化された本発明の第２実施形態による電力回収回路を通じて，図６のようなＶＯ１電極の電圧波形およびＶＥ１電極の電圧波形を実現することができる。
一方，図５に示された本発明の第１実施形態による電力回収回路を用いて図８に示されたＶＯ１電極およびＶＥ１電極の電圧波形を形成する場合，スイッチ（ＳＷ８１）とスイッチ（ＳＷ８２）は同一な機能をするので一つのスイッチ（ＳＷ８）に統合することができ，使用しないスイッチ（ＳＷ７２）は除去できる。図８に示したように，スイッチ（ＳＷ８１）とスイッチ（ＳＷ８２）のスイッチング動作はモード６（Ｍ６）’を除いては同一であり，モード６（Ｍ６）’ではＶＯ１電極がＶＢ電圧を維持しているので，スイッチ（ＳＷ８１）は導通または遮断のいずれの状態でも差し支えない。
【００９９】
したがって，スイッチ（ＳＷ８１）とスイッチ（ＳＷ８２）は同一なスイッチング動作をすると見なすことができる。一方，図６に示したように，スイッチ（ＳＷ７２）はスイッチング動作をせずに常に遮断されているので省略可能である。図１２には，このような点を反映して，より簡略な電力回収回路を示してある。
【０１００】
図１２は，本発明の第３実施形態による電力回収回路である。図１２に示したように，本発明の第３実施形態による電力回収回路は，第１実施形態による電力回収回路を応用してスイッチ（ＳＷ８１）とスイッチ（ＳＷ８２）を統合し，スイッチ（ＳＷ７２）を省略した点を除いては第１実施形態の電力回収回路とほとんど同一であるので，以下で重複される説明は省略する。
【０１０１】
図１２に示したように、本発明の第３実施形態による電力回収回路は、接点（ａ、ｂ）の電圧（ＶＬ１，ＶＬ２）をクランピングする機能と，ＶＯ１電極の電圧レベルとＶＥ１電極の電圧レベルを同一なレベルから他のレベルに，他のレベルから同一なレベルに変動させる際に電力の回収動作を行うＶＣ連結部の機能とを行うクランピング−ＶＣ連結部３２４ｃ’を含む。
【０１０２】
クランピング−ＶＣ連結部３２４ｃ’は，接点（ａ）にカソードが連結され，電源（ＶＢ）にアノードが連結されるダイオード（Ｄ４１），接点（ｂ）にカソードが連結され，電源（ＶＢ）にアノードが連結されるダイオード（Ｄ４２），接点（ｂ）にカソードが連結されるダイオード（Ｄ５１），ダイオード（Ｄ５１）のアノードと電源（ＶＣ）との間に連結されるスイッチ（ＳＷ７），接点（ｂ）にアノードが連結されるダイオード（Ｄ６１），ダイオード（Ｄ６１）のカソードと電源（ＶＣ）との間に連結されるスイッチ（ＳＷ８），ダイオード（Ｄ６１）とスイッチ（ＳＷ８）との接点にアノードが連結され，電源（ＶＡ）にカソードが連結されるダイオード（Ｄ３），接点（ａ）にアノードが連結され，ダイオード（Ｄ３）のアノードにカソードが連結されるダイオード（Ｄ６２）を含む。
【０１０３】
ここで，ダイオード（Ｄ４１）およびダイオード（Ｄ４２）は，各々接点（ａ）の電圧（ＶＬ１）と接点（ｂ）の電圧（ＶＬ２）がＶＢ電圧以下になることを防止する。また，ダイオード（Ｄ３）およびダイオード（Ｄ６１）は，接点（ｂ）の電圧（ＶＬ２）が電圧（ＶＡ）以上になることを防止し，ダイオード（Ｄ３）およびダイオード（Ｄ６２）は，接点（ａ）の電圧（ＶＬ１）が電圧（ＶＡ）以上になることを防止する。一方，スイッチ（ＳＷ７）およびダイオード（Ｄ５１）は，ＶＯ１電極の電圧をＶＢ電圧からＶＡ電圧まで上昇させるのに用いられ，スイッチ（ＳＷ８）およびダイオード（Ｄ６１）は，ＶＯ１電極の電圧をＶＡ電圧からＶＢ電圧まで下降させるのに用いられる。そして，スイッチ（ＳＷ８）とダイオード（Ｄ６２）は，ＶＥ１電極の電圧をＶＡ電圧からＶＢ電圧まで下降させるのに用いられる。
【０１０４】
以下，図１２のような構造を有する本発明の第３実施形態による電力回収回路を通じて図８のような波形をＶＯ１電極およびＶＯ２電極に印加する方法について説明する。
【０１０５】
図８のモード１（Ｍ１）’でスイッチ（ＳＷ８）を導通する。そうすると，ＶＯ１電極，インダクタ（Ｌ２），ダイオード（Ｄ６１），スイッチ（ＳＷ８），および電源（ＶＣ）に電流経路が形成され，ＬＣ共振が発生することにより，ＶＯ１電極の電圧がＶＡ電圧からＶＢ電圧まで下降する。また，ＶＥ１電極，インダクタ（Ｌ１），ダイオード（Ｄ６２），スイッチ（ＳＷ８），および電源（ＶＣ）に電流経路が形成されてＬＣ共振することにより，ＶＥ１電極の電圧がＶＡ電圧からＶＢ電圧まで下降する。
【０１０６】
図８のモード２（Ｍ２’）ではスイッチ（ＳＷ２，ＳＷ４）が導通される。一方，モード（Ｍ３’）では，スイッチ（ＳＷ４）を導通したままスイッチ（ＳＷ７）を導通し，これにより，電源（ＶＣ），スイッチ（ＳＷ７），ダイオード（Ｄ５１），インダクタ（Ｌ２），およびＶＯ１電極に電流経路が形成されて共振することにより，ＶＯ１電極の電圧がＶＢ電圧からＶＡ電圧まで上昇する。そして，モード４（Ｍ４’）およびモード５（Ｍ５’）の動作は本発明の第１実施形態と同一であるので説明を省略する。
【０１０７】
モード６（Ｍ６’）では，スイッチ（ＳＷ８２）を導通する代わりにスイッチ（ＳＷ８）を導通する。そうすると，ＶＥ１電極，インダクタ（Ｌ１），ダイオード（Ｄ６２），スイッチ（ＳＷ８），および電源（ＶＣ）に電流経路が形成され，ＬＣ共振が発生することにより，ＶＥ１電極の電圧がＶＡ電圧からＶＢ電圧まで下降する。そして，スイッチ（ＳＷ８）が導通されてもＶＯ１電極の電圧がＶＣ電圧より低いため，ＶＯ１電極からＶＣ電源に電流経路が形成されず，ＶＯ１電極はＶＢ電圧を維持する。
【０１０８】
このように，より簡略化された本発明の第３実施形態による電力回収回路を通じて，図８のようなＶＯ１電極の電圧波形およびＶＥ１電極の電圧波形を実現することができる。
【０１０９】
図１３Ａは，第２実施形態の電力回収回路のクランピング−ＶＣ連結部３２４ｃと実質的に同じ機能を実行できる他の実施形態を示す回路であり，図１３Ｂは，第３実施形態の電力回収回路のクランピング−ＶＣ連結部３２４ｃ’と実質的に同じ機能をする他の実施形態を示す回路である。図１３Ａおよび図１３Ｂは各々クランピング−ＶＣ連結部のみを便宜上示したものであって，接点（ａ）および接点（ｂ）は，図１１および図１２の接点（ａ，ｂ）に対応する。
【０１１０】
図１３Ａに示したように，本発明の第２実施形態による電力回収回路の他の実施形態によるクランピング−ＶＣ連結部は，接点（ａ）にアノードが連結され，電源（ＶＡ）にカソードが連結されるダイオード（Ｄ３１），接点（ａ）にカソードが連結されるダイオード（Ｄ５２），ダイオード（Ｄ５２）のアノードにカソードが連結され，電源（ＶＢ）にアノードが連結されるダイオード（Ｄ４），接点（ｂ）にカソードが連結され，ダイオード（Ｄ４）とダイオード（Ｄ５２）との接点にアノードが連結されるダイオード（Ｄ５１），ダイオード（Ｄ５１）のアノードと電源（ＶＣ）との間に連結されるスイッチ（ＳＷ７），接点（ｂ）にアノードが連結されるダイオード（Ｄ６１），ダイオード（Ｄ６１）のカソードと電源（ＶＣ）との間に連結されるスイッチ（ＳＷ８），ダイオード（Ｄ６１）とスイッチ（ＳＷ８）との接点にアノードが連結され，電源（ＶＡ）にカソードが連結されるダイオード（Ｄ３２）を含む。
【０１１１】
ここで，ダイオード（Ｄ５１）およびダイオード（Ｄ４）は，接点（ｂ）の電圧（ＶＬ２）がＶＢ電圧以下になることを防止し，ダイオード（Ｄ４）およびダイオード（Ｄ５２）は，接点（ａ）の電圧（ＶＬ１）がＶＢ電圧以下になることを防止する。一方，ダイオード（Ｄ３１）は，接点（ａ）の電圧（ＶＬ１）がＶＡ電圧以上になることを防止し，ダイオード（Ｄ３２）およびダイオード（Ｄ６１）は，接点（ｂ）の電圧（ＶＬ２）がＶＡ電圧以上になることを防止する。その他に，スイッチ（ＳＷ７，ＳＷ８），スイッチ（Ｄ５１，Ｄ６１）の機能は本発明の第２実施形態と同一であるので，以下で具体的な説明は省略する。
【０１１２】
つまり，図１３Ａの回路は，第２実施形態とは異なって，ダイオード（Ｄ３２）のアノードがダイオード（Ｄ６１）のカソードに連結され，ダイオード（Ｄ３２）のカソードが電源（ＶＣ）に連結されることにより，ダイオード（Ｄ６１）およびダイオード（Ｄ３２）が，接点（ｂ）の電圧（ＶＬ２）がＶＡ電圧以上になることを防止することを除いては，本発明の第２実施形態と同一である。
【０１１３】
一方，図１３Ｂに示したように，本発明の第３実施形態による電力回収回路の他の実施形態によるクランピング−ＶＣ連結部は，図１２のクランピング−ＶＣ連結部３２４ｃ’とは異なって，ダイオード（Ｄ４２）のアノードが電源（ＶＢ）に連結され，カソードがダイオード（Ｄ５１）とスイッチ（ＳＷ７）との接点に連結されることを除いては同一である。この時，ダイオード（Ｄ４２）およびダイオード（Ｄ５１）が，接点（ｂ）の電圧（ＶＬ２）がＶＢ電圧以下になることを防止する。その他のダイオード（Ｄ４１）Ｄ５１，Ｄ６１，Ｄ６２）およびスイッチ（ＳＷ７，ＳＷ８）の機能は第３実施形態と同一であるので，以下で具体的な説明は省略する。
【０１１４】
このように，直列ＣＬＣ共振型電力回収回路で必然的な初期条件である二つの電極（ＶＯ１，ＶＥ１）の電圧レベルが異なるように満足させるために，本発明の実施形態によるＶＣ連結部を利用した電力回収動作を通じてＶＯ１電極とＶＯ２電極を互いに電圧レベルになるようにすることにより，電力消費を一層減らすことができる。また，二つの電極（ＶＯ１，ＶＥ１）の電圧レベルを異なる電圧レベルから同一な電圧レベルに変更するためにもＶＣ連結部３２４ｂを利用することによって電力消費を減らすことができる。
【０１１５】
一般的に，初期条件である二つの電極（ＶＯ１，ＶＥ１）の電圧レベルが同一である場合は，アドレス期間から維持放電期間に移る過程で発生し，二つの電極（ＶＯ１，ＶＥ１）の電圧レベルが異なる場合は，維持放電期間での最後の維持放電パルスの後，リセット期間に移る過程で，二つの電極（ＶＯ１，ＶＥ１）は互いに異なる電圧レベルになる。この時，本発明の実施形態によるＶＣ連結部が動作してＬＣ共振が発生し，電力回収動作を行うことにより，互いに同一な電圧レベルから他の電圧レベルに，および互いに異なる電圧レベルから同一な電圧レベルに変換させる。
【０１１６】
上記本発明の実施形態による電力回収回路は直列ＣＬＣ共振型だけでなく，並列ＬＣ共振型および直列ＬＣＬＣ共振型でも適用できることは当然なことである。つまり，プラズマディスプレイパネルの容量性負荷をそのまま電力回収回路で使用する場合に，上記のような電力回収回路を利用して消費電力を減らすことができる。
【０１１７】
また，上記では説明の便宜上，ＶＯ１電極は走査電極（Ｙ１〜Ｙｎ）のうちの奇数ラインの走査電極に接続され，ＶＥ１電極は偶数ラインの走査電極に接続されると仮定したが，ＶＯ１電極が走査電極（Ｙ１〜Ｙｎ）のうちの一部の電極に接続され，ＶＥ１電極は残りの電極に接続できることも当然なこととして理解される。
【０１１８】
そして，上記スイッチ（ＳＷ１〜ＳＷ８２）としてはＭＯＳＦＥＴで実現が可能であるだけでなく，いずれのスイッチング素子を使用しても差し支えない。
【０１１９】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【０１２０】
本発明は，プラズマ表示装置およびその駆動方法に適用可能である。
【図面の簡単な説明】
【０１２１】
【図１】一般的なプラズマ表示装置の電極配列図である。
【図２】従来の並列ＬＣ共振型を適用した場合の走査電極と維持電極の電力回収回路との連結関係を示す図である。
【図３】従来の直列ＣＬＣ共振型を適用した場合の走査電極と維持電極の電力回収回路との連結関係を示す図である。
【図４】本発明の実施形態によるプラズマ表示装置を示す図である。
【図５】本発明の第１実施形態による電力回収回路を示す図である。
【図６】本発明の第１実施形態による電力回収回路の駆動タイミング図である。
【図７Ａ】図６の駆動タイミングでの各モードの電流経路を示す図である。
【図７Ｂ】図６の駆動タイミングでの各モードの電流経路を示す図である。
【図７Ｃ】図６の駆動タイミングでの各モードの電流経路を示す図である。
【図７Ｄ】図６の駆動タイミングでの各モードの電流経路を示す図である。
【図７Ｅ】図６の駆動タイミングでの各モードの電流経路を示す図である。
【図７Ｆ】図６の駆動タイミングでの各モードの電流経路を示す図である。
【図７Ｇ】図６の駆動タイミングでの各モードの電流経路を示す図である。
【図７Ｈ】図６の駆動タイミングでの各モードの電流経路を示す図である。
【図７Ｉ】図６の駆動タイミングでの各モードの電流経路を示す図である。
【図８】本発明の第１実施形態による電力回収回路の駆動タイミング図である。
【図９Ａ】図８の駆動タイミングでの各モードの電流経路を示す図である。
【図９Ｂ】図８の駆動タイミングでの各モードの電流経路を示す図である。
【図９Ｃ】図８の駆動タイミングでの各モードの電流経路を示す図である。
【図９Ｄ】図８の駆動タイミングでの各モードの電流経路を示す図である。
【図１０】図６と図８の電圧波形を結合した維持期間の波形を示す図である。
【図１１】本発明の第２実施形態による電力回収回路である。
【図１２】本発明の第３実施形態による電力回収回路である。
【図１３Ａ】第２実施形態の電力回収回路のクランピング−ＶＣ連結部と実質的に同じ機能をする他の実施形態を示す回路である。
【図１３Ｂ】第３実施形態の電力回収回路のクランピング−ＶＣ連結部と実質的に同じ機能をする他の実施形態を示す回路である。
【符号の説明】
【０１２２】
３０，４０，４０’  電力回収回路
３２，３６，４２，４２’，４６，４６’  維持放電部
３４，４４，４４’，３２４  電力回収部
１００  プラズマ表示パネル
２００  アドレス駆動部
３２０  Ｙ電極駆動部
３２２  第１維持放電部
３２４ａ  クランピング部
３２４ｂ  ＶＣ連結部
３２４ｃ，３２４ｃ’  クランピング−ＶＣ連結部
３２６  第２維持放電部
３４０  Ｘ電極駆動部
４００  制御部
【図１】
2006113562.tif 000003
【図２】
2006113562.tif 000004
【図３】
2006113562.tif 000005
【図４】
2006113562.tif 000006
【図５】
2006113562.tif 000007
【図６】
2006113562.tif 000008
【図７Ａ】
2006113562.tif 000009
【図７Ｂ】
2006113562.tif 000010
【図７Ｃ】
2006113562.tif 000011
【図７Ｄ】
2006113562.tif 000012
【図７Ｅ】
2006113562.tif 000013
【図７Ｆ】
2006113562.tif 000014
【図７Ｇ】
2006113562.tif 000015
【図７Ｈ】
2006113562.tif 000016
【図７Ｉ】
2006113562.tif 000017
【図８】
2006113562.tif 000018
【図９Ａ】
2006113562.tif 000019
【図９Ｂ】
2006113562.tif 000020
【図９Ｃ】
2006113562.tif 000021
【図９Ｄ】
2006113562.tif 000022
【図１０】
2006113562.tif 000023
【図１１】
2006113562.tif 000024
【図１２】
2006113562.tif 000025
【図１３Ａ】
2006113562.tif 000026
【図１３Ｂ】
2006113562.tif 000027